(57)【要約】【課題】セグメント製造データとセグメント施工データとが結合されデータをトンネルの供用後も長期間に亘って適切に管理することに用いることができるセグメント情報管理システムおよびシールドトンネルを提供する。【解決手段】コンピュータと、セグメントに取り付けられた各セグメントを識別するためのＩＣタグと、該ＩＣタグの情報を読み込む読取りリーダおよび読取りリーダでの読取りを表示するディスプレイとからなり、前記ＩＣタグはセグメント工場で出荷するセグメントピースについて側面に貼付ける低機能タグであるシール式のＩＣタグと、セグメントリングの完成後にリング内側に貼付ける恒久ＩＣタグとからなり、シール式のＩＣタグの情報を恒久ＩＣタグに盛替え、前記セグメントリングもしくは二以上のセグメントリングを前記恒久ＩＣタグを用いて識別可能とした。【選択図】図１
2018184712.tif 000002
【特許請求の範囲】
【請求項１】
コンピュータと、セグメントに取り付けられた各セグメントを識別するためのＩＣタグと、該ＩＣタグの情報を読み込むタグ読取りリーダおよびタグ読取りリーダでの読取りを表示するディスプレイとからなり、
前記コンピュータは、セグメント管理記録としてのピース受入情報、ピース通過情報、リング情報、ピース情報の各データベースに繋がり、
前記ＩＣタグはセグメント工場で出荷するセグメントピースについて側面に貼付ける低機能タグであるシール式のＩＣタグと、セグメントリングの完成後にリング内側に貼付ける恒久ＩＣタグとからなり、
ピース受入情報データベースには、工場出荷したセグメントピースについて、ピース毎の仕様が記憶され、
ピース通過情報データベースには、セグメント施工データが記憶され、
リング情報表示データベースには、組立てたすべてのリングについてリング毎のリング情報が記憶され、
ピース情報表示データベースには、組立てたすべてのピースについて、ピース毎の仕様が記憶され、
組立の完了したセグメントリングもしくは二以上のセグメントリングの代表点に恒久ＩＣタグを固定し、前記セグメントリングもしくは二以上のセグメントリングを前記恒久ＩＣタグを用いて識別可能とし、前記セグメントリングもしくは二以上のセグメントリング内に含まれる各ピースに貼付されたシール式のＩＣタグの識別情報を、組立の完了で確定している前記代表点を原点とする各ピースの相対位置とペアにした上で、前記恒久ＩＣタグに移し替え、これによりセグメントリングもしくは二以上のセグメントリング内の各ピースに紐付いていた製造データ及びセグメント施工データが、恒久タグの読み取りと相対位置の指定だけで検索可能としたことを特徴とするセグメント情報管理システム。
【請求項２】
オンプレミスもしくはクラウドに置かれる各データベースは、前記各ピースに関する製造データを記憶するピース製造データフィールドと、ピースを組み立てた後の各リングに関するセグメント施工データを記憶するセグメント施工データフィールドの他に、セグメントリング完成後の維持管理情報フィールドを含み、セグメントリングの完成後に恒久ＩＣタグから読取りリーダで読み取った恒久ＩＣタグのＩＤを一次キーとして、恒久ＩＣタグを原点とする相対位置で特定される各ピースの、前記製造データ、前記施工データ、前記維持管理情報データを、順次検索可能とする機能を提供する請求項１記載のセグメント情報管理システム。
【請求項３】
前記請求項１のセグメント情報管理システムに使用するもので、セグメントに取り付けられた各セグメントを識別するためのシール式のＩＣタグの情報を単一セグメントリングもしくは二以上のセグメントリング毎に盛り換えた恒久ＩＣタグを完成したセグメントリングの内側に貼付けたことを特徴とするシールドトンネル。
【請求項４】
恒久ＩＣタグは、把持金具を設置したセグメントの凹部に設ける請求項２記載のシールドトンネル。
【発明の詳細な説明】
【技術分野】
【０００１】
本発明は、シールド工事に用いる多数のセグメントを管理するためのセグメント情報管理システムおよびそれを用いたシールドトンネルに関するものである。
【背景技術】
【０００２】
シールドトンネル工事においては、構築されたトンネルの品質管理を、当該トンネルの供用後も将来に亘って長期間、適切に管理することができるようにするために多数組み立てられた各セグメントの製造データを、生産履歴等を含めて管理する必要があると共に、組み立てられた各リングのセグメントの施工データを、漏れの無いないように管理することが求められる。
【０００３】
各セグメントの製造データとしては、主として、セグメント製造番号、セグメント種別、セグメントピース種別、セグメント幅、製造工場、コンクリート打設日、使用したコンクリートのスランプ値等の製造データが含まれる。
【０００４】
各セグメントの施工データとしては、組立てた各リングに支持させてシールド掘進機を掘進させた際のリング番号、掘進開始時刻、掘進終了時刻、組立方向、シールド蛇行量、推進力、カッタートルク等のシールド掘進データや、シールド掘進機の後方において、例えばシールドトンネルとして設置された各リングを測量することによって得られた、リング番号、セグメント蛇行量、真円度、ローリング、目違い量、目開き量等の測量データを挙げることができる。
【０００５】
多数組み立てられた各セグメントの生産履歴等を含めた製造データを、組み立てられた各リングのセグメントの施工データと結合させて適切に管理することのできるものとして下記特許文献がある。
【特許文献１】特許第５３３５４８２号公報
【０００６】
前記特許文献１は、シールド工事に用いる多数のセグメントを管理するためのセグメント情報管理システムによるセグメント管理方法である。
【０００７】
前記特許文献１のセグメント情報管理システムは、図１９に示すように、コンピュータ１１と、多数のセグメント１０に各々取り付けられた各セグメント１０を識別するための識別情報部１２と、該識別情報部１２の情報を読み込む読取りリーダ部１３とからなる。
【０００８】
前記コンピュータ１１は、各セグメントに関する製造データを記憶するセグメント製造データ記憶部１４と、セグメントを組み立てた後の各リングに関するセグメント施工データを記憶するセグメント施工データ記憶部１５とを含んでいる。
【０００９】
前記セグメント製造データ記憶部１４は、製造工場から送られる各セグメントに関する製造データを記憶するようになっている。
【００１０】
前記セグメント施工データ記憶部１５は、シールド工法における各種の計測器から収集される計測値及びデータ入力される測量値を一元管理する機能を備える、シールド掘進管理システム１６から送られる各リングに関するセグメント施工データを記憶するようになっている。
【００１１】
各セグメント１０は、シールド工事現場において前記識別情報部１２を前記読取りリーダ部１３で読み込むことによって、その情報が前記製造工場から送られる各セグメント１０に関する製造データと結合されて前記セグメント製造データ記憶部１５に記憶されるようになっており、セグメント組立時に各セグメント１０の前記識別情報部１２を前記読取りリーダ部１３で読み込むことによって、各セグメント１０が組み立てられるリングが特定されると共に、各リング毎に、前記シールド掘進管理システム１６から送られるセグメント施工データが前記セグメント施工データ記憶部１５に記憶されるようになっており、前記読取りリーダ部１３で読み込まれた前記識別情報部１２の製造番号を介して、前記セグメント製造データ記憶部１４に記憶されたセグメント製造データと、前記セグメント施工データ記憶部１５に記憶されたセグメント施工データとが結合されるようになっており、かつ前記セグメント施工データ記憶部１５に記憶されたセグメント施工データは、組み立てられた全リングに関する施工データが、前記シールド掘進管理システム１６から所定のタイミング毎に前記セグメント施工データ記憶部１５に更新データとして送られて、逐次更新されるようになっている。
【００１２】
この特許文献１のセグメント情報管理システムによるセグメント管理方法によれば、多数組み立てられた各セグメントの生産履歴等を含めた製造データを、組み立てられた各リングのセグメントの施工データと結合させて適切に管理することができる。
【発明の概要】
【発明が解決しようとする課題】
【００１３】
前記特許文献１では、識別情報部は例えばＱＲコード（登録商標）、バーコード等を付したものを貼付して用いることができるとあるが、これらがシール式のものでは耐久性がなく、トンネルの供用後も長期間に亘って適切に管理することができない。
【００１４】
また、特許文献１では図１９によれば、識別情報部はセグメントの継手面である側部に設けてあり、セグメントリング方向継手面でも、シールド進行方向継手面でもトンネル完成後はこれが隠れてしまい、読取りリーダ部で読み込むことができない。
【００１５】
このように特許文献１ではトンネルを構成する多数のセグメントの各々の生産履歴等を含めたトレーサビリティが可能な総合的な情報を、当該トンネルの供用後も長期間に亘って適切に管理することができないものである。
【００１６】
本発明の目的は前記従来例の不都合を解消し、セグメント製造データとセグメント施工データとが結合されデータをトンネルの供用後も長期間に亘って適切に管理することに用いることができるセグメント情報管理システムおよびシールドトンネルを提供することにある。
【課題を解決するための手段】
【００１７】
前記目的を達成するため本発明は、セグメント情報管理システムとしては、第１に、コンピュータと、セグメントに取り付けられた各セグメントを識別するためのＩＣタグと、該ＩＣタグの情報を読み込む読取りリーダおよび読取りリーダでの読取りを表示するディスプレイとからなり、前記コンピュータは、セグメント管理記録としてのピース受入情報、ピース通過情報、リング情報、ピース情報の各データベースに繋がり、前記ＩＣタグはセグメント工場で出荷するセグメントピースについて側面に貼付ける低機能タグであるシール式のＩＣタグと、セグメントリングの完成後にリング内側に貼付ける恒久ＩＣタグとからなり、ピース受入情報データベースには、工出荷したセグメントピースについて、ピース毎の仕様が記憶され、ピース通過情報データベースには、セグメント施工データが記憶され、リング情報表示データベースには、組立てたすべてのリングについてリング毎のリング情報が記憶され、ピース情報表示データベースには、組立てたすべてのピースについて、ピース毎の仕様が記憶され、組立の完了したセグメントリングもしくは二以上のセグメントリングの代表点に恒久ＩＣタグを固定し、前記セグメントリングもしくは二以上のセグメントリングが前記恒久ＩＣタグを用いて識別可能とし、前記セグメントリングもしくは二以上のセグメントリング内に含まれる各ピースに貼付されたシール式のＩＣタグの識別情報を、組立の完了で確定している前記代表点を原点とする各ピースの相対位置とペアにした上で、前記恒久ＩＣタグに移し替え、これによりセグメントリングもしくは二以上のセグメントリング内の各ピースに紐付いていた製造データ及びセグメント施工データが、恒久タグの読み取りと相対位置の指定だけで検索可能としたことを要旨とするものである。
【００１８】
第２に、オンプレミスもしくはクラウドに置かれる各データベースは、前記各ピースに関する製造データを記憶するピース製造データフィールドと、ピースを組み立てた後の各リングに関するセグメント施工データを記憶するセグメント施工データフィールドの他に、セグメントリング完成後の維持管理情報フィールドを含み、セグメントリングの完成後に恒久ＩＣタグから読取りリーダで読み取った恒久ＩＣタグのＩＤを一次キーとして、恒久ＩＣタグを原点とする相対位置で特定される各ピースの、前記製造データ、前記施工データ、前記維持管理情報データを、順次検索可能とする機能を提供する。
【００１９】
シールドトンネルとしては、前記請求項１のセグメント情報管理システムに使用するもので、セグメントに取り付けられた各セグメントを識別するためのシール式のＩＣタグの情報を単一セグメントリングもしくは二以上のセグメントリング毎に盛り換えた恒久ＩＣタグを完成したセグメントリングの内側に貼付けたこと、および、恒久ＩＣタグは、把持金具を設置したセグメントの凹部に設けることを要旨とするものである。
【００２０】
本発明によれば、多数組み立てられた各セグメントの製造データを生産履歴等を含めて管理することができるとともに、組み立てられる各リングのセグメントの施工データをピース通過情報として受け入れ、漏れの無いないように管理することができ、シールド工事によって構築されたトンネルの品質管理を、当該トンネルの供用後も将来に亘って長期間、適切に管理することができる。
【００２１】
特に、シール式のＩＣタグの情報を恒久ＩＣタグに盛り換えることで破損等を回避した恒久的な識別情報部が形成でき、また、情報を単一セグメントリングもしくは二以上のセグメントリング毎に盛り換えることで、集約化が可能となる。
【００２２】
さらに、恒久ＩＣタグは完成したセグメントリングの内側に貼付けることで、セグメントの継手面である側部に設けて、これがトンネル完成後は隠れてしまい、読取りリーダで読み込むことができないという不都合もなくなる。
【００２３】
請求項２記載の本発明によれば、恒久タグ（相対位置の原点）とその相対位置で特定された各ピースに紐付けたい有用情報はタグ自身でなく、タグ保存の識別情報（ＩＤ）をキーとして検索可能な外部データベースの方に格納していく。各ピースに紐付けたい有用情報は、施工中に発生した取得できる情報だけでなく、例えば維持管理・補修記録や、後日判明したピースに係わる特異な情報（法改正による既存不的確情報とかリコール情報）などのように、必然的に後日他人が生成する情報があり、第三者が作成する外部データベース側にも各ピースのＩＤフィールドを記載してもらえれば、自己のデータベースと当該外部データベースとを結合せずとも、ＩＤをキーとするデータベース間のリレーショナル検索で相互参照できる。
【発明の効果】
【００２４】
以上述べたように本発明のセグメント情報管理システムおよびそれを用いたシールドトンネルは、セグメント製造データと、ピース通過情報として記憶されたセグメント施工データとが結合されることで、適切にセグメントの管理をすることができるものであり、しかもデータをトンネルの供用後も長期間に亘って適切に管理することに用いることができるものである。
【発明を実施するための形態】
【００２５】
以下、図面について本発明の実施の形態を詳細に説明する。先にシールドトンネル施工の概要を図２について説明すると、シールドトンネル工事においては、多数のセグメント１０をシールド掘進機１８の後方において順次リング状に組み立てて行くことによってトンネルを構築して行くことになる。
【００２６】
１はセグメント工場で、ここで製造されたセグメント１０はトレーラ６で発進基地２に運ばれ、ストックヤード３に置かれる。
【００２７】
ストックヤード３のセグメント１０は自走台車４に積載され、セグメントリフタ５で発進立坑を下降し、トンネル内に入り、自走台車４で坑内セグメントセッター７に運ばれる。
【００２８】
坑内セグメントセッター７からは、セグメント１０は坑内運搬車両（バッテリーロコ）８で運搬され、セグメントセッター（後方台車）９に置かれ、ここから自走台車４でセグメント供給装置２０に供給され、エレクタ２１でリングに組まれる。
【００２９】
本発明のセグメント情報管理システムの構成を図１に示すと、コンピュータ１１と、セグメント１０に取り付けられた各セグメントを識別するためのＩＣタグと、該ＩＣタグの情報を読み込むタグ読取りリーダ１９ａ，１９ｂおよびタグ読取りリーダ１９ａ，１９ｂでの読取りを表示するディスプレイ（図示せず）とからなる。
【００３０】
コンピュータ１１はインターネット２２を介してクラウドサービス２３に接続し、データベース２４を呼び出せるようになっている。図１中２７はルータである。
【００３１】
前記データベース２４にはセグメント管理記録として、ピース受入情報、ピース通過情報、リング情報、ピース情報が収納され、ピース受入情報データベース２４ａ、ピース通過情報データベース２４ｂ、リング情報データベース２４ｃ、ピース情報データベース２４ｄとからなる。
【００３２】
前記タグ読取りリーダ１９ａはハンディタグリーダ読取りリーダ、１９ｂは固定タグ読取りリーダである。図１１にハンディタグリーダであるタグ読取りリーダ１９ａの構成を示すと、タグリーダからＢｌｕｅｔｏｕｔｈを介してタブレット端末に繋がり、タブレット端末からＷｉＦｉを介して無線ＬＡＮ２６経由で、コントローラ、ディスプレイへと繋がる。
【００３３】
固定タグ読取りリーダであるタグ読取りリーダ１９ｂは通過するセグメントのタグを読み取り、通過を記録するもので、図１２に示すように、アンテナを有するタグリーダであり、コントローラを介してディスプレイや無線ＬＡＮへと繋がる。
【００３４】
前記タグ読取りリーダ１９ａは、セグメント工場１とこのセグメント工場１からセグメント１０の受け入れを行う発進基地２のストックヤード３で使用する。
【００３５】
また、タグ読取りリーダ１９ｂはセグメントリフタ５、坑内セグメントセッター７、セグメントセッター（後方台車）９、セグメント供給装置２０、エレクタ２１にそれぞれ設置される。
【００３６】
前記ディスプレイにはハンデイタイプの防爆タブレットを使用することができ、画面仕様としては、（１）ピース受入管理表示、（２）ピース通過情報表示、（３）リング情報表示、（４）ピース情報表示がある。
【００３７】
（１）ピース受入管理表示は、図１３に示すように、工出荷したピースについて、ピース毎の仕様（ピース番号、タイプ、ストレート、甲乙、ＡＢＫ、圧縮強度）及び工出荷、受入、坑内搬入の日時をリスト表示する。
【００３８】
（２）ピース通過情報表示は、図１４に示すように、坑内搬入から組立までのピースについて、ピース毎のセグメントリフタ、坑内セグメントセッター、セグメントセッター、セグメント供給装置、エレクタのピース番号、検知日時、および組立てたピースの位置を表示する。
【００３９】
（３）リング情報表示は、図１５に示すように、組立てたすべてのリングについて、リング毎のリング情報（リング番号、施工日、甲乙、Ｋ位置、構成ピース種別）をリスト表示する。
【００４０】
（４）ピース情報表示は、図１６に示すように、組立てたすべてのピースについて、ピース毎の仕様（ピース番号、タイプ、ストレート、甲乙、ＡＢＫ、圧縮強度）及びリング番号、施工日、位置をリスト表示する。
【００４１】
本発明は多数のセグメントを各々識別するための識別情報部として、識別記号を記録したとして、ＩＣタグ（ＵＨＦタグ）２５をセグメント１０に貼付して用いるものであり、このＩＣタグ２５はセグメント組立まではシール式のＩＣタグを使用し、セグメントリングの組立の完了したあとはプレートタイプの恒久ＩＣタグを使用する。
【００４２】
図３は本発明における装置配置とチェックのイメージを示すもので、チェックポイントは、（１）工出荷［セグメント工場１］、（２）受入［発信基地２のストックヤード３］、（３）坑内搬入［セグメントリフタ５］、（４）坑内移動［坑内セグメントセッター７］、（５）１Ｒ（リング確認）［セグメントセッター９］、（６）組立準備［セグメント供給装置２０］、（７）組立［エレクタ２１］となる。
【００４３】
これらのチェックポイントとその項目を下記表１に示す。
【表１】
2018184712.tif 000003
【００４４】
また、各チェックポイントの詳細を下記表２に示す。
【表２】
2018184712.tif 000004
【００４５】
工出荷のイメージは図４に示すようなもので、前記シール式のＩＣタグ２５は製造されたセグメントの側部に貼られ、これにはセグメントの種類（タイプ、ストレート、甲乙、Ａ，Ｂ，Ｋ）・打設日・圧縮強度などのセグメント情報入力が入力され、出荷時にタグ読取りリーダ１９ａでセグメントの通過情報を記録、表示する。
【００４６】
受入のイメージは図５に示すようなもので、搬入セグメントの確認と次組立リングの指示（掘削指示書による）を行い、タグ読取りリーダ１９ａでセグメントの通過情報を記録、表示する。
【００４７】
坑内搬入のイメージは図６に示すようなもので、ＩＣタグ２５の情報は、セグメントの種類（タイプ、ストレート、テーパー、甲乙など）で、次組立リングの指示（掘削指示書による）を行い、タグ読取りリーダ１９ａでセグメントの通過情報を記録、表示する。
【００４８】
坑内移動のイメージは図７に示すようなもので、ここからは固定タグリーダであるタグ読取りリーダ１９ｂを使用して、作業員が坑内車両通路に近づくと危険なため、坑内セグメントセッター７に設置したアンテナで自動読み取りを行う。
【００４９】
１Ｒ（リング）確認のイメージは図８に示すようなもので、タグ読取りリーダ１９ｂでセグメントの通過情報を記録、表示するとともに。セグメントセッター９で１Ｒ（リング）が揃っていることを判断し、表示する。
【００５０】
組立準備のイメージは図９に示すようなもので、セグメント供給装置２０がセグメントの１ピースを把持した時に、タグ読取りリーダ１９ｂでセグメントの通過情報を記録、表示して、ＩＣタグ情報とセグメント記載の情報が合致していることを目視で確認する。Ａ１セグメントから組み始める。Ａ２、Ａ３，Ｂ１，Ｂ２、Ｋセグメントも同様である。
【００５１】
組立のイメージは図１０に示すようなもので、エレクタ２１ではタグ読取りリーダ１９ｂでセグメントの通過情報を記録、表示して、ＩＣタグ情報とセグメント記載の情報が合致していることを目視で確認し、Ａ１セグメントから組み始める。Ａ２、Ａ３，Ｂ１，Ｂ２、Ｋセグメントも同様である。
【００５２】
エレクタ２１が１ピース把持し、取り付けを行なうが、位置が決まったらシール式のＩＣタグ２５を取り外す。
【００５３】
組立の完了したセグメントリングもしくは二以上のセグメントリングの代表点に恒久ＩＣタグを固定し、前記セグメントリングもしくは二以上のセグメントリングを前記恒久ＩＣタグを用いて識別可能とする。
【００５４】
前記恒久ＩＣタグは完成したセグメントリングの内側に単一セグメントリングもしくは二以上のセグメントリング毎に設けるものであり、図１８に示すようにセグメント１０は把持金具を設置した凹部１０ａを有するものであり。該凹部１０ａに設けるのが好適である。
【００５５】
本発明は、前記セグメントリングもしくは二以上のセグメントリング内に含まれる各ピースに貼付されたシール式のＩＣタグ２５の識別情報を、組立の完了で確定している前記代表点を原点とする各ピースの相対位置とペアにした上で、前記恒久ＩＣタグに移し替え、これによりセグメントリングもしくは二以上のセグメントリング内の各ピースに紐付いていた製造データ及びセグメント施工データが、恒久タグの読み取りと相対位置の指定だけで検索可能とした。
【００５６】
恒久タグ（相対位置の原点）とその相対位置で特定された各ピースに紐付けたい有用情報はタグ自身でなく、タグ保存の識別情報（ＩＤ）をキーとして検索可能な外部データベースに格納する。
【００５７】
このデータベースの設置場所は、旧来的にオンプレミス（発注者や社内に置いたサーバー）かクラウドである。
【００５８】
オンプレミスもしくはクラウドに置かれるデータベースは、前記各セグメントピースに関する製造データを記憶するピース製造データフィールドと、ピースを組み立てた後の各リングに関するセグメント施工データを記憶するセグメント施工データフィールドの他に、セグメントリング完成後の維持管理情報フィールド（維持管理情報データベース）を含み、セグメントリングの完成後に恒久ＩＣタグから読取りリーダで読み取った恒久ＩＣタグのＩＤを一次キーとして、恒久ＩＣタグを原点とする相対位置で特定される各ピースの、前記製造データ、前記施工データ、前記維持管理情報データを、順次検索可能とする機能を提供する。
【００５９】
以上述べたように本発明は、各ピースのＩＣタグのＩＤ情報に紐付いたフィールドをデータテーブルにアペンドしていくものであるが、ＩＣタグ自身のＩＤのほか、せいぜい配下の各ピースの相対位置とＩＤ程度で十分である。
【００６０】
このような本発明における情報の統合を図１７に模す。
【００６１】
セグメントピースの製造を行うセグメント工場１では、セグメントピース管理用データベース（ＤＢ１）を工場が用意（レコードはｎ＝１〜製造総数）し、また、セグメント全ピースの側面に低機能タグであるシール式のＩＣタグ２５を貼付してセグメントピースを識別可能とする。
【００６２】
セグメントピースの製造情報として、セグメントの種類（タイプ、ストレート、甲乙、Ａ，Ｂ，Ｋ）、打設日、圧縮強度などをセグメントピース管理用データベース（ＤＢ１）のＩＤ（１）ｎレコードに記録する。
【００６３】
セグメントピースの出荷においては、セグメントピースｎの出荷情報をＤＢ（１）のＩＤ（１）ｎレコードにアペンドし、ＩＤ（１）ｎ付セグメントピース及びＤＢ（１）のＩＤ（１）ｎレコードをペアで出荷する。
【００６４】
セグメントピースの受入では、トンネル施工管理用ＤＢ（２）を工事現場が用意（レコードはｎ＝１〜受入総数）し、ＤＢ（１）のＩＤ（１）ｎレコードをＤＢ（２）のＩＤ（１）ｎレコードとして転記する。
【００６５】
セグメントピースｎの受入情報をＤＢ（２）のＩＤ（１）ｎレコードにアペンドする。
【００６６】
セグメントピースの輸送においては、セグメントピースｎの輸送情報をＤＢ（２）のＩＤ（１）ｎレコードにアペンドし、ＩＤ（１）ｎとＤＢ（２）を用いた輸送支援アプリケーション（輸送すべきｎを提示する）を提供する。
【００６７】
セグメントピースの組立においては、セグメントセッターから取出・組付エレクタで把持の各タイミングで以下を行う。
【００６８】
セグメントピースｎの組立情報をＤＢ（２）のＩＤ（１）ｎレコードにアペンドする。
【００６９】
ＩＤ（１）ｎとＤＢ（２）を用いた組立支援アプリケーション（組付るべきｎを提示する）の提供を行う。
【００７０】
セグメントリング完成のタイミングで以下を行う。
セグメントリング完成毎にＤＢ（２）のＩＤ（１）ｎ＝（当該リング内の各々）レコードにリング単位の施工情報をアペンドする。
【００７１】
以上の本発明のセグメント情報管理システムを設置したシールドトンネルは、セグメントに取り付けられた各セグメントを識別するためのシール式のＩＣタグの情報を単一セグメントリングもしくは二以上のセグメントリング毎に盛り換えた恒久ＩＣタグを完成したセグメントリングの内側に貼付けたものである。
【図面の簡単な説明】
【００７２】
【図１】本発明のセグメント情報管理システムの構成を示す説明図である。
【図２】本発明のセグメント情報管理システムの概要を示す説明図である。
【図３】本発明の装置配置とチェックポイントのイメージを示す説明図である。
【図４】工出荷のシステムイメージを示す説明図である。
【図５】受入のシステムイメージを示す説明図である。
【図６】坑内搬入のシステムイメージを示す説明図である。
【図７】坑内移動のシステムイメージを示す説明図である。
【図８】１Ｒ（リング）確認のシステムイメージを示す説明図である。
【図９】組立準備のシステムイメージを示す説明図である。
【図１０】組立のシステムイメージを示す説明図である。
【図１１】ハンディタグリーダであるのタグ読取りリーダの説明図である。
【図１２】固定タグリーダであるタグ読取りリーダの説明図である。
【図１３】ピース受入管理情報の表示画面を示す正面図である。
【図１４】ピース通過情報の表示画面を示す正面図である。
【図１５】リング情報の表示画面を示す正面図である。
【図１６】ピース情報の表示画面を示す正面図である。
【図１７】本発明における情報の統合を模す説明図である。
【図１８】セグメントの斜視図である。
【図１９】従来例を示す斜視図である。
【符号の説明】
【００７３】
１…セグメント工場
２…発進基地
３…ストックヤード
４…自走台車
５…セグメントリフタ
６…トレーラ
７…坑内セグメントセッター
８…坑内運搬車両（バッテリーロコ）
９…セグメントセッター（後方台車）
１０…セグメント
１０ａ…凹部
１１…コンピュータ
１２…識別情報部
１３…読取りリーダ部
１４…セグメント製造データ記憶部
１５…セグメント施工データ記憶部
１６…シールド掘進管理システム
１８…シールド掘進機
１９ａ，１９ｂ…タグ読取りリーダ
２０…セグメント供給装置
２１…エレクタ
２２…インターネット
２３…クラウドサービス
２４…データベース
２４ａ…ピース受入情報データベース
２４ｂ…ピース通過情報データベース
２４ｃ…リング情報データベース
２４ｄ…ピース情報データベース
２５…ＩＣタグ（ＵＨＦタグ）
２６…無線ＬＡＮ
２７…ルータ
【図１】
2018184712.tif 000005
【図２】
2018184712.tif 000006
【図３】
2018184712.tif 000007
【図４】
2018184712.tif 000008
【図５】
2018184712.tif 000009
【図６】
2018184712.tif 000010
【図７】
2018184712.tif 000011
【図８】
2018184712.tif 000012
【図９】
2018184712.tif 000013
【図１０】
2018184712.tif 000014
【図１１】
2018184712.tif 000015
【図１２】
2018184712.tif 000016
【図１３】
2018184712.tif 000017
【図１４】
2018184712.tif 000018
【図１５】
2018184712.tif 000019
【図１６】
2018184712.tif 000020
【図１７】
2018184712.tif 000021
【図１８】
2018184712.tif 000022
【図１９】
2018184712.tif 000023